(57)【要約】【課題】コンテンツサーバから利用者の移動情報通信端末へコンテンツを配信する情報配信システムにおいて、利用者の現在位置が利用者によって指定された位置になったとき、利用者によって指定されたコンテンツを配信する。【解決手段】移動情報通信端末１００の利用者は、ドライブに出発する前、コンテンツを配信して欲しい位置を示す位置情報と、配信して欲しいコンテンツを示すコンテンツＩＤとを含んだ配信プランをコンテンツサーバ２００に登録しておく。ドライブ中、移動情報通信端末１００は、コンテンツサーバ２００に対して利用者の現在位置情報を送信している。コンテンツサーバ２００は、移動情報通信端末１００から送られてくる現在位置情報と、配信プラン中の位置情報とに基づいて、利用者がコンテンツの配信位置に到着したと判断したとき、配信プラン中のコンテンツＩＤによって示されるコンテンツを移動情報通信端末１００に配信する。【選択図】　　　図１
2004072363.tif 000002
【特許請求の範囲】
【請求項１】
移動情報通信端末とコンテンツサーバとから構成される情報配信システムであって、
前記移動情報通信端末が、
利用者の指示に従ってコンテンツＩＤ及び位置情報を含む配信プランを前記コンテンツサーバに対して送信する配信プラン送信手段と、
自端末の現在位置を示す現在位置情報を前記コンテンツサーバに対して送信する現在位置送信手段とを備え、
前記コンテンツサーバが、
前記移動情報通信端末から送られてきた配信プラン中の位置情報によって示される位置と、前記移動情報通信端末から送られてきた現在位置情報によって示される位置とが所定の関係になったとき、前記配信プラン中のコンテンツＩＤによって示されるコンテンツを前記移動情報通信端末に対して配信するコンテンツ配信手段を備えたことを特徴とする情報配信システム。
【請求項２】
請求項１記載の情報配信システムにおいて、
前記配信プランが、
前記コンテンツＩＤ及び前記位置情報に加え、代替コンテンツＩＤ及び前記コンテンツＩＤによって示されるコンテンツの代わりに前記代替コンテンツＩＤによって示される代替コンテンツを配信する配信条件を示す配信条件情報を含み、
前記コンテンツ配信手段が、
前記移動情報通信端末から送られてきた配信プラン中の位置情報によって示される位置と、前記移動情報通信端末から送られてきた現在位置情報によって示される位置との関係が所定の関係になったとき、前記配信条件情報によって示される配信条件が満たされていれば、前記代替コンテンツＩＤによって示される代替コンテンツを前記移動情報通信端末に対して送信し、前記配信条件が満たされていなければ、前記コンテンツＩＤによって示されるコンテンツを前記移動情報通信端末に対して送信する構成を有することを特徴とする情報配信システム。
【請求項３】
請求項２記載の情報配信システムにおいて、
前記コンテンツサーバが、
前記移動情報通信端末に対してコンテンツ或いは代替コンテンツを配信する毎に、前記移動情報通信端末に対する課金情報を更新する課金手段を備えたことを特徴とする情報配信システム。
【請求項４】
請求項１乃至３記載の情報配信システムにおいて、
前記コンテンツサーバが、
前記移動情報通信端末に対して販売したコンテンツのコンテンツＩＤを管理するコンテンツ販売手段を備え、
前記コンテンツ配信手段が、
前記移動情報通信端末から送られてきた配信プラン中に、前記コンテンツ販売手段で管理されていないコンテンツＩＤが含まれている場合、前記配信プランを拒否する構成を有することを特徴とする情報配信システム。
【請求項５】
請求項１記載の情報配信システムにおいて、
前記配信プランが、
前記コンテンツＩＤ及び前記位置情報に加え、代替コンテンツＩＤおよび前記コンテンツＩＤによって示されるコンテンツの代わりに前記代替コンテンツＩＤによって示される代替コンテンツを再生する再生条件を示す再生条件情報を含み、
前記コンテンツ配信手段が、
前記移動情報通信端末から送られてきた配信プラン中の位置情報によって示される位置と、前記移動情報通信端末から送られてきた現在位置情報によって示される位置との関係が所定の関係になったとき、前記コンテンツＩＤによって示されるコンテンツと、前記代替コンテンツＩＤによって示される代替コンテンツＩＤと、前記再生条件情報とを前記移動情報通信端末に対して配信する構成を有し、
前記移動情報通信端末が、
前記コンテンツサーバから前記コンテンツＩＤによって示されるコンテンツ及び前記代替コンテンツＩＤによって示される代替コンテンツが送られてきたとき、前記再生条件情報によって示される再生条件が満たされていれば、前記代替コンテンツＩＤによって示される代替コンテンツを再生し、満たされていなければ、前記コンテンツＩＤによって示されるコンテンツを再生するコンテンツ再生手段を備えたことを特徴とする情報配信システム。
【請求項６】
移動情報通信端末から送られてきた配信プラン中の位置情報によって示される位置と、前記移動情報通信端末から送られてきた現在位置情報によって示される位置とが所定の関係になったとき、前記配信プラン中のコンテンツＩＤによって示されるコンテンツを前記移動情報通信端末に配信するコンテンツサーバに対して、利用者の指示に従ってコンテンツＩＤ及び位置情報を含む配信プランを送信する配信プラン送信手段と、
前記コンテンツサーバに対して、自端末の現在位置を示す現在位置情報を送信する現在位置送信手段とを備えたことを特徴とする移動情報通信端末。
【請求項７】
移動情報通信端末から送られてきた配信プラン中の位置情報によって示される位置と、前記移動情報通信端末から送られてきた現在位置情報によって示される位置とが所定の関係になったとき、前記配信プラン中の配信条件情報によって示される配信条件が満たされていれば、前記配信プラン中の代替コンテンツＩＤによって示される代替コンテンツンを前記移動情報通信端末に配信し、満たされていなければ、前記配信プラン中のコンテンツＩＤが示すコンテンツを前記移動情報通信端末に配信するコンテンツサーバに対して、利用者の指示に従って、コンテンツＩＤと、代替コンテンツＩＤと、位置情報と、前記コンテンツＩＤによって示されるコンテンツの代わりに前記代替コンテンツによって示される代替コンテンツを配信する配信条件を示す配信条件情報とを含む配信プランを送信する配信プラン送信手段と、
前記コンテンツサーバに対して、自端末の現在位置を送信する現在位置送信手段とを備えたことを特徴とする移動情報通信端末。
【請求項８】
利用者の指示に従ってコンテンツＩＤ及び位置情報を含む配信プランをコンテンツサーバに対して送信すると共に、予め定められたタイミングで自端末の現在位置を示す現在位置情報を前記コンテンツサーバに対して送信する移動情報通信端末から配信プランが送られてきたとき、該配信プランを保存し、前記移動情報通信端末から現在位置情報が送られてきたとき、該現在位置情報によって示される位置と、保存してある配信プラン中の位置情報によって示される位置とが所定の関係であれば、前記配信プラン中のコンテンツＩＤによって示されるコンテンツを前記移動情報通信端末に配信するコンテンツ配信手段を備えたことを特徴とするコンテンツサーバ。
【請求項９】
利用者の指示に従ってコンテンツＩＤと、代替コンテンツＩＤと、位置情報と、前記コンテンツＩＤによって示されるコンテンツの代わりに前記代替コンテンツＩＤによって示される代替コンテンツを配信する配信条件を示す配信条件情報とを含む配信プランをコンテンツサーバに対して送信すると共に、予め定められたタイミングで自端末の現在位置を示す現在位置情報を前記コンテンツサーバに対して送信する移動情報通信端末から配信プランが送られてきたとき、該配信プランを保存し、前記移動情報通信端末から現在位置情報が送られてきたとき、該現在位置情報によって示される位置と前記保存してある配信プラン中の位置情報によって示される位置とが所定の関係であり、且つ前記配信条件情報によって示される配信条件が満たされていれば、前記代替コンテンツＩＤによって示される代替コンテンツを前記移動情報通信端末に送信し、前記現在位置情報によって示される位置と前記保存してある配信プラン中の位置情報によって示される位置とが所定の関係であり、且つ前記配信条件情報によって示される配信条件が満たされていなければ、前記コンテンツＩＤによって示されるコンテンツを前記移動情報通信端末に配信するコンテンツ配信手段を備えたことを特徴とするコンテンツサーバ。
【請求項１０】
コンピュータを移動情報通信端末として機能させるためのプログラムであって、
前記コンピュータを、
移動情報通信端末から送られてきた配信プラン中の位置情報によって示される位置と、前記移動情報通信端末から送られてきた現在位置情報によって示される位置とが所定の関係になったとき、前記配信プラン中のコンテンツＩＤによって示されるコンテンツを前記移動情報通信端末に配信するコンテンツサーバに対して、利用者の指示に従ってコンテンツＩＤ及び位置情報を含む配信プランを送信する配信プラン送信手段、
前記コンテンツサーバに対して、自端末の現在位置を示す現在位置情報を送信する現在位置送信手段として機能させるためのプログラム。
【請求項１１】
コンピュータを移動情報通信端末として機能させるためのプログラムであって、
前記コンピュータを、
移動情報通信端末から送られてきた配信プラン中の位置情報によって示される位置と、前記移動情報通信端末から送られてきた現在位置情報によって示される位置とが所定の関係になったとき、前記配信プラン中の配信条件情報によって示される配信条件が満たされていれば、前記配信プラン中の代替コンテンツＩＤによって示される代替コンテンツンを前記移動情報通信端末に配信し、満たされていなければ、前記配信プラン中のコンテンツＩＤが示すコンテンツを前記移動情報通信端末に配信するコンテンツサーバに対して、利用者の指示に従って、コンテンツＩＤと、代替コンテンツＩＤと、位置情報と、前記コンテンツＩＤによって示されるコンテンツの代わりに前記代替コンテンツＩＤによって示される代替コンテンツを配信する配信条件を示す配信条件情報とを含む配信プランを送信する配信プラン送信手段、
前記コンテンツサーバに対して、自端末の現在位置を示す現在位置情報を送信する現在位置送信手段として機能させるためのプログラム。
【請求項１２】
コンピュータをコンテンツサーバとして機能させるためのプログラムであって、
前記コンピュータを、
利用者の指示に従ってコンテンツＩＤ及び位置情報を含む配信プランをコンテンツサーバに対して送信すると共に、予め定められたタイミングで自端末の現在位置を示す現在位置情報を前記コンテンツサーバに対して送信する移動情報通信端末から配信プランが送られてきたとき、該配信プランを保存し、前記移動情報通信端末から現在位置情報が送られてきたとき、該現在位置情報によって示される位置と、保存してある配信プラン中の位置情報によって示される位置とが所定の関係であれば、前記配信プラン中のコンテンツＩＤによって示されるコンテンツを前記移動情報通信端末に配信するコンテンツ配信手段として機能させるためのプログラム。
【請求項１３】
コンピュータをコンテンツサーバとして機能させるためのプログラムであって、
前記コンピュータを、
利用者の指示に従ってコンテンツＩＤと、代替コンテンツＩＤと、位置情報と、前記コンテンツＩＤによって示されるコンテンツの代わりに前記代替コンテンツＩＤによって示される代替コンテンツを配信する条件を示す配信条件情報とを含む配信プランをコンテンツサーバに対して送信すると共に、予め定められたタイミングで自端末の現在位置を示す現在位置情報を前記コンテンツサーバに対して送信する移動情報通信端末から配信プランが送られてきたとき、該配信プランを保存し、前記移動情報通信端末から現在位置情報が送られてきたとき、該現在位置情報によって示される位置と前記保存してある配信プラン中の位置情報によって示される位置とが所定の関係であり、且つ前記配信条件情報によって示される配信条件が満たされていれば、前記代替コンテンツＩＤによって示される代替コンテンツを前記移動情報通信端末に送信し、前記現在位置情報によって示される位置と前記保存してある配信プラン中の位置情報によって示される位置とが所定の関係であり、且つ前記配信条件情報によって示される配信条件が満たされていなければ、前記コンテンツＩＤによって示されるコンテンツを前記移動情報通信端末に配信するコンテンツ配信手段として機能させるためのプログラム。
【発明の詳細な説明】
【０００１】
【発明の属する技術分野】
本発明は、音楽や映像などのコンテンツを移動情報通信端末に配信する情報配信技術に関し、特に、移動情報通信端末の位置が利用者によって指定された位置となったとき、利用者によって予め指定されたコンテンツを配信する情報配信技術に関する。
【０００２】
【従来の技術】
従来から移動情報通信端末の位置に応じたコンテンツを、コンテンツサーバから移動情報通信端末に配信するということは行われている。このような従来の技術としては、例えば、特開２００１−１８９９６９公報や特開２００２−２４６９０公報に記載されている情報配信システムが知られている。
【０００３】
特開２００１−１８９９６９公報に記載されている情報配信システムは、車両に搭載された移動情報通信端末からコンテンツサーバに対して、コンテンツを選択させるための選択情報（例えば、車両の現在位置情報、車両の速度情報、車両の走行位置付近の天候情報など）を送信し、コンテンツサーバにおいて、移動情報通信端末から送られてきた選択情報に基づいて移動情報通信端末に配信するコンテンツを選択し、この選択したコンテンツを移動情報通信端末に配信するようにしている。例えば、選択情報として車両の現在位置を使用すれば、車両が海沿いを走行中である場合には海にフィットしたコンテンツを配信し、山沿いを走行中である場合には山にフィットしたコンテンツを配信することが可能になる。また、選択情報として速度情報を使用すれば、渋滞中はイライラ感の解消するようなコンテンツを配信し、渋滞のない場合は軽快なテンポのコンテンツを配信することが可能になる。
【０００４】
また、特開２００２−２４６９０公報に記載されている情報配信システムは、移動情報通信端末からコンテンツサーバに対して現在位置情報を送信し、コンテンツサーバにおいて、移動情報通信端末から送られてきた現在位置情報と現在時刻とに基づいて、移動情報通信端末に配信するコンテンツを選択し、この選択したコンテンツを移動情報通信端末に配信するようにしている。
【０００５】
【発明が解決しようとする課題】
上述した特開２００１−１８９９６９公報や特開２００２−２４６９０公報に記載された情報配信システムによれば、利用者の現在位置に応じたコンテンツを配信することは可能になるが、利用者の好みに合ったコンテンツが配信されない場合があるという問題があった。即ち、上記公報に記載されている情報配信システムは、配信するコンテンツを選択する際、利用者の意向が全く反映されておらず、コンテンツサーバ側で利用者の現在位置に基づいて勝手に配信するコンテンツを選択するようにしているため、利用者の好みに合ったコンテンツが配信されない場合があるという問題があった。
【０００６】
そこで、本発明の目的は、利用者が指定した位置において、利用者が希望するコンテンツを確実に配信できるようにすることにある。
【０００７】
【課題を解決するための手段】
本発明の情報配信システムは、上記目的を達成するため、
移動情報通信端末とコンテンツサーバとから構成される情報配信システムであって、
前記移動情報通信端末が、
利用者の指示に従ってコンテンツＩＤ及び位置情報を含む配信プランを前記コンテンツサーバに対して送信する配信プラン送信手段と、
自端末の現在位置を示す現在位置情報を前記コンテンツサーバに対して送信する現在位置送信手段とを備え、
前記コンテンツサーバが、
前記移動情報通信端末から送られてきた配信プラン中の位置情報によって示される位置と、前記移動情報通信端末から送られてきた現在位置情報によって示される位置とが所定の関係になったとき、前記配信プラン中のコンテンツＩＤによって示されるコンテンツを前記移動情報通信端末に対して配信するコンテンツ配信手段を備えている。
【０００８】
また、本発明の情報配信システムは、利用者の現在位置が、利用者によって予め指定されている位置と所定の関係を有する位置となったとき、その時の状況に応じてユーザが希望しているコンテンツを配信できるようにするため、
前記配信プランが、
前記コンテンツＩＤ及び前記位置情報に加え、代替コンテンツＩＤ及び前記コンテンツＩＤによって示されるコンテンツの代わりに前記代替コンテンツＩＤによって示される代替コンテンツを配信する配信条件を示す配信条件情報を含み、
前記コンテンツ配信手段が、
前記移動情報通信端末から送られてきた配信プラン中の位置情報によって示される位置と、前記移動情報通信端末から送られてきた現在位置情報によって示される位置との関係が所定の関係になったとき、前記配信条件情報によって示される配信条件が満たされていれば、前記代替コンテンツＩＤによって示される代替コンテンツを前記移動情報通信端末に対して送信し、前記配信条件が満たされていなければ、前記コンテンツＩＤによって示されるコンテンツを前記移動情報通信端末に対して送信する構成を有する。
【０００９】
また、本発明の情報配信システムは、コンテンツサーバの運営者が利益を得られるようにするため、
前記コンテンツサーバが、
前記移動情報通信端末に対してコンテンツ或いは代替コンテンツを配信する毎に、前記移動情報通信端末に対する課金情報を更新する課金手段を備えている。
【００１０】
【作用】
利用者は、例えば、ドライブに出かける前、位置情報及びこの位置情報によって表される位置において配信してもらいたいコンテンツのコンテンツＩＤを含んだ配信プランを、自身の移動情報通信端末を使用してコンテンツサーバへ送信しておく。ドライブ中、移動情報通信端末は、現在位置情報をコンテンツサーバに対して送信しており、コンテンツサーバは、現在位置情報によって示される利用者の現在位置が、配信プラン中の位置情報によって示される位置と所定の関係を有する位置（コンテンツの配信位置）となると、上記配信プラン中に含まれているコンテンツＩＤのコンテンツを移動情報通信端末に配信する。このように、コンテンツサーバは、利用者からの配信プランに従って、利用者の移動情報通信端末にコンテンツを配信するので、利用者の現在位置が、利用者によって指定された位置になった時、利用者が希望しているコンテンツを配信することができる。
【００１１】
また、利用者は、配信プラン中の位置情報によって示される位置に到着したとき、その時の状況（例えば、天候が晴れであるか雨であるかとか、渋滞中であるか渋滞中でないか等）に応じて異なるコンテンツを配信してもらいたい場合がある。このような場合、利用者は、ドライブに出かける前に、位置情報及びコンテンツＩＤに加え、代替コンテンツＩＤ及びコンテンツＩＤによって示されるコンテンツの代わりに代替コンテンツＩＤによって示されるコンテンツを配信する配信条件を示す配信条件情報を含んだ配信プランをコンテンツサーバに送信しておく。コンテンツサーバは、利用者がコンテンツの配信位置に到着したとき、配信条件情報によって示される配信条件が満たされているか否かにより、代替コンテンツＩＤ或いはコンテンツＩＤによって示されるコンテンツを移動情報通信端末に配信する。このように、コンテンツサーバは、利用者の移動情報通信端末から送られてくる、コンテンツＩＤ、代替コンテンツＩＤ、位置情報及び配信条件情報を含んだ配信プランに従って、コンテンツ或いは代替コンテンツを利用者の移動情報通信端末に配信するので、利用者の現在位置が、利用者によって予め指定されている位置となったとき、その時の状況に応じて利用者が希望しているコンテンツを配信できる。
【００１２】
【発明の実施の形態】
次に本発明の実施の形態について図面を参照して詳細に説明する。
【００１３】
図１を参照すると、本発明の情報配信システムの一実施例は、移動情報通信端末１００と、コンテンツサーバ２００と、各種の情報サーバ２５０−１〜２５０−ｎとから構成され、これらは、インターネット等の通信ネットワーク３００を介して相互に接続されている。
【００１４】
移動情報通信端末１００は、例えば、通信ネットワーク３００に接続可能な携帯電話機（ブラウザフォン）で構成される。図２を参照すると、移動情報通信端末１００は、アンテナ１０１と、通信ネットワーク３００を介してデータを送受信する無線部１０２と、ＧＰＳ（Ｇｌｏｂａｌ　Ｐｏｓｉｔｉｏｎｉｎｇ　Ｓｙｓｔｅｍ）を利用して移動情報通信端末１００の現在位置を検出する位置検出部１０３と、ＬＣＤ等の表示部１０４と、スピーカ等の音声出力部１０５と、利用者が命令や情報を入力するための入力操作を行う操作部１０６と、コンテンツを始めとした各種データを記憶する記憶部１０７と、移動情報通信端末１００の各部を制御する制御部１０８と、記録媒体１０９とから主に構成されている。
【００１５】
制御部１０８は、例えば、ＣＰＵによって構成される。図３を参照すると、制御部１０８は、表示処理手段１０８１と、音声処理手段１０８２と、現在位置送信手段１０８３と、配信プラン送信手段１０８４とを備えている。
【００１６】
表示処理手段１０８１は、無線部１０２が受信したコンテンツの内の、画像データや文字データを表示部１０４に表示する機能などを有する。
【００１７】
音声処理手段１０８２は、無線部１０２が受信したコンテンツの内の、音声・楽音データを音声出力部１０４に出力する機能等を有する。
【００１８】
現在位置送信手段１０８３は、位置検出部１０３が検出した自端末の現在位置を表す現在位置情報をコンテンツサーバ２００に送信する機能を有する。
【００１９】
配信プラン送信手段１０８４は、利用者が操作部１０６を用いて入力した、コンテンツＩＤ、位置情報、代替コンテンツＩＤ及び配信条件情報を含んだ配信プランをコンテンツサーバ２００へ送信する機能を有する。
【００２０】
記録媒体１０９は、ディスク、半導体メモリ、その他の記録媒体であり、制御部１０８上に表示処理手段１０８１、音声処理手段１０８２，現在位置送信手段１０８３、配信プラン送信手段１０８４を実現するためのプログラムが記録されている。このプログラムは、制御部１０８によって読み取られ、その動作を制御することにより、制御部１０８上に表示処理手段１０８１、音声処理手段１０８２，現在位置送信手段１０８３、配信プラン送信手段１０８４を実現する。
【００２１】
コンテンツサーバ２００は、コンテンツ配信・販売事業者により運営されるものであり、ワークステーション・サーバ等の情報処理装置によって主に構成される。図４を参照すると、コンテンツサーバ２００は、通信部２０１と、コンテンツ情報記憶部２０２と、配信プラン記憶部２０３と、利用者情報記憶部２０４と、各種情報記憶部２０５と、利用者位置情報記憶部２０６と、制御部２０７と、記録媒体２０８とから構成されている。
【００２２】
通信部２０１は、通信ネットワーク３００との間でデータ送受信を行う際の通信インタフェース部として機能する。
【００２３】
コンテンツ情報記憶部２０２には、様々なコンテンツが格納されている。コンテンツ情報記憶部２０２に格納されている各コンテンツには、ユニークなコンテンツＩＤが付与されている。また、コンテンツ情報記憶部２０２に格納されているコンテンツには、内容は同一であるが、音質・画質が異なるコンテンツも含まれている。
【００２４】
配信プラン記憶部２０３には、移動情報通信端末１００から送られてきた配信プランが格納される。
【００２５】
利用者情報記憶部２０４には、情報配信システムを利用する各利用者の利用者情報が格納される。利用者情報には、利用者ＩＤ、利用者が購入したコンテンツのコンテンツＩＤ、課金情報などが含まれる。
【００２６】
各種情報記憶部２０５には、各情報サーバ２５０−１〜２５０−ｎから送られてきた各種情報（気象情報、交通情報など）が格納される。
【００２７】
利用者位置情報記憶部２０６には、移動情報通信端末１００から送られてきた利用者の現在位置情報が格納される。
【００２８】
制御部２０７は、例えば、ＣＰＵによって構成される。図５を参照すると、制御部２０７は、コンテンツ販売手段２０７１と、配信プラン登録手段２０７２と、コンテンツ配信手段２０７３と、各種情報更新手段２０７４とを備えている。
【００２９】
コンテンツ販売手段２０７１は、移動情報通信端末１００に対してコンテンツ販売画面を送信する機能や、移動情報通信端末１００の利用者によって購入されたコンテンツのコンテンツＩＤを、利用者ＩＤに対応付けて利用者情報記憶部２０４に格納する機能や、コンテンツを購入した利用者に対する請求金額を、利用者ＩＤ及び購入したコンテンツＩＤに対応付けて利用者情報記憶部２０３に格納する機能などを有する。
【００３０】
配信プラン登録手段２０７２は、移動情報通信端末１００から送られてきた配信プランを配信プラン記憶部２０３に格納する機能などを有する。
【００３１】
コンテンツ配信手段２０７３は、移動情報通信端末１００の現在位置が、移動情報通信端末１００から送られてきている配信プラン中の位置情報によって示される位置と所定の関係を有する位置になったとき、配信プラン中のコンテンツＩＤ或いは代替コンテンツＩＤによって示されるコンテンツを移動情報通信端末１００に配信する機能を有する。
【００３２】
各種情報更新手段２０７４は、情報サーバ２５０−ｉ（１≦ｉ≦ｎ）から送られてくる更新情報に従って、各種情報記憶部２０５に格納されている情報（気象情報、交通情報など）の内、情報サーバ２５０−ｉによって提供されている情報を更新する機能を有している。
【００３３】
記録媒体２０８は、ディスク、半導体メモリ、その他の記録媒体であり、制御部２０７上に、コンテンツ販売手段２０７１、配信プラン登録手段２０７２、コンテンツ配信手段２０７３、各種情報更新手段２０７４を実現するためのプログラムが記録されている。このプログラムは、制御部２０７によって読み取られ、その動作を制御することで、制御部２０７上に、コンテンツ販売手段２０７１、配信プラン登録手段２０７２、コンテンツ配信手段２０７３、各種情報更新手段２０７４を実現する。
【００３４】
情報サーバ２５０−１〜２５０−ｎは、それぞれ独自の情報（気象情報、交通情報など）を提供するサーバであり、自サーバで提供する情報が更新された場合、コンテンツサーバ２００に対して更新情報を送信する機能を有する。
【００３５】
【実施例の動作】
次に、各図を参照して本実施例の動作について詳細に説明する。
【００３６】
先ず、移動情報通信端末１００の利用者が、コンテンツサーバ２００からコンテンツを購入する際の動作について詳細に説明する。
【００３７】
移動情報通信端末１００の利用者は、コンテンツサーバ２００を運営しているコンテンツ配信・販売業者からコンテンツを購入する際、コンテンツ配信・販売業者が通信ネットワーク３００上に開設しているコンテンツ販売用のＷＥＢページにアクセスする（図６、ステップＡ１）。
【００３８】
これにより、コンテンツサーバ２００の制御部２０７は、コンテンツ販売手段２０７１を使用してコンテンツ販売画面を移動情報通信端末１００に送信する（ステップＡ２）。
【００３９】
移動情報通信端末１００の制御部１０８は、コンテンツサーバ２００からコンテンツ販売画面が送られてくると、表示処理手段１０８１を使用して表示部１０４上にコンテンツ販売画面を表示する。図７にコンテンツ販売画面７１の一例を示す。同図に示すように、コンテンツ販売画面７１には、販売対象にしているコンテンツの一覧と、利用者ＩＤの入力欄と、決定ボタンとが設けられている。コンテンツ一覧には、チェック欄、コンテンツ名、価格、品質、コンテンツＩＤが含まれている。
【００４０】
コンテンツ販売画面７１が表示されると、利用者は、購入を希望するコンテンツのチェック欄をチェックすると共に利用者ＩＤを入力し、その後、決定ボタンをクリックする。これにより、制御部１０８は、コンテンツ販売画面７１上でチェックされたコンテンツのコンテンツＩＤ及びコンテンツ販売画面７１上で入力された利用者ＩＤを含むコンテンツ購入要求をコンテンツサーバ２００へ送信する（ステップＡ３）。
【００４１】
移動情報通信端末１００からコンテンツ購入要求が送られてくると、コンテンツサーバ２００の制御部２０７は、コンテンツ販売手段２０７１を使用して、上記要求に含まれている利用者ＩＤとコンテンツＩＤとを対応付けて利用者情報記憶部２０４に格納する（ステップＡ４）。その後、制御部２０７は、コンテンツ販売手段２０７１を使用して移動情報通信端末１００に対してコンテンツ購入確認画面を送信する（ステップＡ５）。
【００４２】
移動情報通信端末１００の制御部１０８は、コンテンツサーバ２００からコンテンツ購入確認画面が送られてくると、表示処理手段１０８１を使用して、表示部１０４上にコンテンツ購入確認画面を表示する。このコンテンツ購入確認画面には、例えば、利用者が購入したコンテンツのコンテンツ名、ＯＫボタン、ＮＧボタンが含まれている。利用者は、コンテンツ購入確認画面の内容が正しい場合には、ＯＫボタンをクリックし、そうでない場合は、ＮＧボタンをクリックする。制御部１０８は、ＯＫボタンがクリックされた場合は、コンテンツサーバ２００に対してＯＫ通知を送信する（ステップＡ６）。これに対して、ＮＧボタンがクリックされた場合には、ＮＧ通知を送信する。
【００４３】
ＯＫ通知が送られてきた場合は、コンテンツサーバ２００内の制御部２０７は、コンテンツ販売手段２０７１を使用して、移動情報通信端末１００の利用者が今回購入したコンテンツのコンテンツＩＤと、購入金額と、利用者ＩＤとを対応付けて利用者情報記憶部２０４に登録した後、完了通知を移動情報通信端末１００に送信する（ステップＡ７，Ａ８）。尚、ステップＡ７において利用者情報記憶部２０４に登録した購入金額は、利用者に代金を請求する際に利用される。これに対して、ＮＧ通知が送られてきた場合は、ステップＡ４で利用者情報記憶部２０４に登録したコンテンツＩＤなどを削除した後、そのことを移動情報通信端末１００に通知する。
【００４４】
次に、移動情報通信端末１００の利用者が、ドライブに先立ってコンテンツの配信プランを登録する時の動作について説明する。
【００４５】
コンテンツの配信プランを登録する際、利用者は、コンテンツ配信・販売業者が通信ネットワーク３００上に開設している配信プラン登録用のＷＥＢページにアクセスする（図８、ステップＢ１）。
【００４６】
これにより、コンテンツサーバ２００内の制御部２０７は、配信プラン登録手段２０７２を使用して移動情報通信端末１００に配信プラン登録画面を送信する（ステップＢ２）。
【００４７】
移動情報通信端末１００内の制御部１０８は、表示処理手段１０８１を使用して配信プラン登録画面を表示部１０４上に表示する（ステップＢ３）。図９に配信プラン登録画面９１の一例を示す。この図９に示した配信プラン登録画面９１には、配信プラン入力欄９２と、購入コンテンツ一覧部９３と、ランドマーク一覧部９４と、利用者ＩＤの入力欄９５と、決定ボタン９６とが設けられている。
【００４８】
配信プラン入力欄９２は、位置情報の入力欄、コンテンツＩＤの入力欄、代替コンテンツＩＤの入力欄、および配信条件の入力欄から構成されている。位置情報の入力欄には、コンテンツの配信を受けたい位置を示す位置情報（ランドマーク、住所、緯度・経度など）が入力される。コンテンツＩＤの入力欄には、同一行の位置情報によって示される位置において配信を受けたいコンテンツのコンテンツＩＤが入力される。代替コンテンツＩＤの入力欄には、或る条件が満たされたとき、コンテンツＩＤによって示されるコンテンツの代わりに配信して欲しい代替コンテンツのコンテンツＩＤ（代替コンテンツＩＤ）が入力される。配信条件の入力欄には、コンテンツＩＤによって示されるコンテンツの代わりに代替コンテンツＩＤによって示される代替コンテンツを配信する条件が入力される。
【００４９】
購入コンテンツ一覧部９３には、移動情報通信端末１００の利用者が既に購入しているコンテンツのコンテンツ名、コンテンツＩＤの一覧が表示されている。
【００５０】
ランドマーク一覧部９４には、利用可能なランドマークとその住所の一覧が表示されている。
【００５１】
移動情報通信端末１００の利用者は、図９に示すような配信プラン登録画面９１が表示されると、ドライブプランに基づいて、配信プラン入力欄９２に必要な情報を入力する。例えば、ランドマークＸに到着したときに、天候が雨であればコンテンツＩＤ「ＩＤＢ」によって示されるコンテンツの配信を希望し、雨でなければ、コンテンツＩＤ「ＩＤＡ」によって示されるコンテンツの配信を希望する場合には、配信プラン入力欄９２の第１行目に示すように、「ランドマークＸ」、「ＩＤＡ」、「ＩＤＢ」、「雨」を入力する。また、例えば、緯度Ｙ・経度Ｚの位置に到着したとき、渋滞でなければコンテンツＩＤ「ＩＤＣ」によって示されるコンテンツの配信を希望し、渋滞ならばコンテンツの配信を希望しない場合には、配信プラン入力欄９２の第２行目に示すように、位置情報、コンテンツＩＤ、配信条件の入力欄には、それぞれ「緯度Ｙ・経度Ｚ」、「ＩＤＣ」、「渋滞」を入力するが、代替コンテンツＩＤの入力欄には何も入力しない。また、例えば、ランドマークＫに到着したとき、その時の状況にかかわらず、コンテンツＩＤ「ＩＤＪ」によって示されるコンテンツの配信を希望する場合には、配信プラン入力欄９３の第３行目に示すように、位置情報、コンテンツＩＤの入力欄にはそれぞれ「ランドマークＫ」、「ＩＤＪ」を入力するが、代替コンテンツＩＤ、配信条件の入力欄には何も入力しない。尚、利用者は、位置情報としてランドマークを使用する場合には、ランドマーク一覧部９４を参照し、利用可能なランドマークのみを入力する。また、コンテンツＩＤや代替コンテンツＩＤを入力する際には、購入コンテンツ一覧部９３を参照し、購入済みのコンテンツのコンテンツＩＤのみを入力する。利用者は、配信プラン入力欄９２および利用者ＩＤの入力欄９５に必要事項を全て入力すると、決定ボタン９６をクリックする。
【００５２】
決定ボタン９６がクリックされると、制御部１０８は配信プラン送信手段１０８４を使用し、配信プラン入力欄９２に入力された配信プランと、入力欄９５ににされた利用者ＩＤとを含む配信プラン登録要求をコンテンツサーバ２００へ送信する（ステップＢ４）。
【００５３】
コンテンツサーバ２００内の制御部２０７は、移動情報通信端末１００から配信プラン登録要求が送られてくると、配信プラン登録手段２０７２を使用して、配信プラン登録要求に含まれている配信プランと利用者ＩＤとを対応付けて配信プラン記憶部２０３に登録する（ステップＢ５）。尚、配信プラン登録手段２０７２は、配信プランを登録する際、利用者情報記憶部２０４を参照して上記利用者ＩＤの利用者が購入済みのコンテンツのコンテンツＩＤを求め、もし、利用者から送られてきた配信プラン中に購入されていないコンテンツのコンテンツＩＤが含まれている場合は、配信プランの登録を拒否し、その旨のメッセージを移動情報通信端末１００に送信する。その後、制御部２０７は、配信プラン登録手段２０７２を使用して、移動情報通信端末１００に対して配信プラン登録完了通知を送信する（ステップＢ６）。
【００５４】
移動情報通信端末１００の制御部１０８は、表示処理部１０８１を使用してコンテンツサーバ２００から送られてきた配信プラン登録完了通知を表示部１０４に表示する（ステップＢ７）。
【００５５】
次に、移動情報通信端末１００の利用者が、事前に登録した配信プランに基づいてドライブ中にコンテンツ配信サービスを受ける場合の動作について説明する。
【００５６】
移動情報通信端末１００内の位置検出部１０３は、ＧＰＳにより自端末の現在位置を検出している。また、移動情報通信端末１００内の制御部１０８は、予め定められているタイミング（例えば、一定時間毎）になると、位置検出部１０３から、自端末の現在位置を示す現在位置情報を取得する（図１０、ステップＣ１）。その後、制御部１０８は、ステップＣ１で取得した現在位置情報と、移動情報通信端末１００の利用者の利用者ＩＤとを、現在位置送信手段１０８３を使用してコンテンツサーバ２００へ送信する（ステップＣ２）。
【００５７】
コンテンツサーバ２００内の制御部２０７は、移動情報通信端末１００から現在位置情報と利用者ＩＤとが送られてくると、コンテンツ配信手段２０７３を使用して、コンテンツ配信処理を行う（ステップＣ３）。
【００５８】
このステップＣ３の処理を詳しく説明すると、次のようになる。先ず、移動情報通信端末１００から送られてきた現在位置情報と利用者ＩＤとを対応付けて利用者位置情報記憶部２０６に格納する（図１１、ステップＣ３１）。次に、移動情報通信端末１００の利用者の利用者ＩＤをキーにして配信プラン記憶部２０３を検索し、上記利用者が事前登録したコンテンツの配信プランを探し出す（ステップＣ３２）。今、例えば、移動情報通信端末１００の利用者が事前登録した配信プランとして、図１２に示す配信プラン１２１が探し出されたとする。
【００５９】
配信プラン１２１を探し出すと、その第１行目に注目し、配信済フラグが”０”になっているか否かを判断する（ステップＣ３３〜Ｃ３６）。配信済フラグは、コンテンツの配信が完了しているか否かを示すものであり、本実施例では、配信済フラグが”０”の場合は、コンテンツの配信が行われておらず、配信フラグが”１”の場合は、コンテンツの配信が完了しているとする。尚、配信済フラグは、配信プランを配信プラン記憶部２０３に登録する際（図８のステップＢ５）配信プラン登録手段２０７２によって付加されたものであり、その初期値は”０”になっている。
【００６０】
配信フラグが”１”の場合は、次の行に注目する（ステップＣ３６がＮＯ、ステップＣ４２）。これに対して、配信済フラグが”０”の場合は、第１行目の位置情報「ランドマークＸ」によって示される位置と、利用者の現在位置とが所定の関係（例えば、「ランドマークＸ」によって示される位置と利用者の現在位置との間の距離が所定距離以内）にあるか否かを調べることにより、利用者が、コンテンツの配信位置に到着したか否かを判断する（ステップＣ３７）。
【００６１】
そして、利用者がコンテンツの配信位置に到着していないと判断した場合は、次の行に注目する（ステップＣ３７がＮＯ、ステップＣ４２）。これに対して、利用者がコンテンツの配信位置に到着したと判断した場合は、現在注目中の第１行目に配信条件が含まれているか否かを調べる（ステップＣ３７がＹＥＳ、ステップＣ３８）。
【００６２】
配信条件が含まれていない場合は、第１行目中のコンテンツＩＤ「ＩＤＡ」によって示されるコンテンツを移動情報通信端末１００に配信すると共に、第１行目の配信済フラグを”１”とし、その後、次の行に注目する（ステップＣ４１、Ｃ４２）。これに対して、配信条件が含まれている場合は、配信条件が満たされているか否かを調べる（ステップＣ３９）。この例の場合、配信条件が「雨」となっているので、各種情報記憶部２０５に格納されている、利用者の現在位置付近の気象情報に基づいて、配信条件が満たされているか否かを判断する。そして、配信条件が満たされている場合は、第１行目中の代替コンテンツＩＤ「ＩＤＢ」によって示される代替コンテンツを移動情報通信端末１００に配信すると共に、第１行目中の配信済フラグを”１”とし、その後、次の行に注目する（ステップＣ４０、ステップＣ４２）。尚、ステップＣ４０において、注目行に代替コンテンツＩＤが含まれていない場合には、コンテンツの配信は行わず、配信済フラグを”１”にする処理のみを行う。また、ステップＣ４０において、代替コンテンツを配信する際に、代替コンテンツを配信したことを示すメッセージ（例えば、文字列）も移動情報通信端末１００に送信するようにしても良い。以上の処理を未処理の行がなくなるまで（ステップＣ３５がＮＯとなるまで）、繰り返し行う。以上が、ステップＣ３で行う処理の詳細である。
【００６３】
ステップＣ３の処理が終了すると、制御部２０７は、利用者情報記憶部２０４に格納されている、移動情報通信端末１００の利用者に対する課金情報を、ステップＣ３において配信したコンテンツ数に応じて更新する（図１０、ステップＣ４）。また、移動情報通信端末１００内の制御部１０８は、表示処理手段１０８１、音声処理手段１０８２を使用して、コンテンツサーバ２００から配信されてきたコンテンツを再生（例えば、ストリーミング再生）する（ステップＣ５）。
【００６４】
次に、各種情報記憶部２０５に格納されている情報の更新時の動作を説明する。
【００６５】
情報サーバ２５０−ｉは、自サーバが提供している情報を更新した場合、コンテンツサーバ２００に対して更新情報を送信する（図１３，ステップＤ１）。コンテンツサーバ２００内の制御部２０７は、情報サーバ２５０−ｉからの更新情報を受信すると、各種情報記憶部２０５に登録されている情報の内、情報サーバ２５０−ｉによって提供されている情報を更新情報に従って更新する（ステップＤ２，Ｄ３）。
【００６６】
【他の実施例】
尚、上述した実施例においては、利用者がコンテンツの配信位置に到着したとき、コンテンツサーバ側で、配信条件に基づいて、コンテンツＩＤによって示されるコンテンツ或いは代替コンテンツＩＤによって示される代替コンテンツの何れか一方を配信するようにしたが、利用者がコンテンツの配信位置に到着したとき、コンテンツサーバから移動情報通信端末へコンテンツと代替コンテンツの両方を配信し、移動情報通信端末側でその時の条件に応じてコンテンツ或いは代替コンテンツの内の何れか一方を再生するようにしても良い。この場合、移動情報通信端末からコンテンツサーバには、位置情報と、コンテンツＩＤと、代替コンテンツＩＤと、コンテンツＩＤによって示されるコンテンツの代わりに代替コンテンツＩＤによって示されるコンテンツを再生する条件を示す再生条件情報とを含む配信プランを送信するようにする。また、コンテンツサーバでは、利用者がコンテンツの配信位置に到着したとき、コンテンツＩＤによって示されるコンテンツ、代替コンテンツＩＤによって示されるコンテンツおよび再生条件情報を移動情報通信端末に送信する。移動情報通信端末は、再生条件情報によって示されている条件が満たされているか否かを判定し、満たされている場合には，代替コンテンツを再生し、満たされていない場合には、コンテンツを再生する。尚、再生条件情報は、前述した実施例における配信条件情報と同様のものである。
【００６７】
【発明の効果】
以上説明したように、本発明の情報配信システムは、利用者の移動情報通信端末からコンテンツサーバへ、位置情報およびコンテンツＩＤを含んだ配信プランを送信しておき、コンテンツサーバでは、移動情報通信端末から送られてくる現在位置情報と配信プラン中の位置情報とに基づいて利用者がコンテンツの配信位置に到着したと判断した場合、配信プラン中のコンテンツＩＤによって示されるコンテンツを移動情報通信端末に配信するようにしているので、常に、利用者が希望するコンテンツを配信することが可能になる。
【００６８】
また、本発明の情報配信システムは、利用者の移動情報通信端末からコンテンツサーバへ、位置情報、コンテンツＩＤ、代替コンテンツＩＤ、配信条件を含んだ配信プランを送信しておき、コンテンツサーバでは、移動情報通信端末から送られてくる現在位置情報と配信プラン中の位置情報とに基づいて利用者がコンテンツの配信位置に到着したと判断した場合、配信条件情報によって示される配信条件が満たされていれば、代替コンテンツＩＤによって示されるコンテンツを移動情報通信端末に配信し、満たされていなければ、コンテンツＩＤによって示されるコンテンツを移動情報通信端末に配信するようにしているので、利用者がコンテンツ配信位置に到着したときの状況（例えば、天気が晴れであるか雨であるかとか、渋滞中であるか渋滞中でないか等）に応じて利用者が希望しているコンテンツを配信することが可能になる。
【００６９】
また、本発明の情報配信システムは、コンテンツサーバが、移動情報通信端末に対してコンテンツ或いは代替コンテンツを配信する毎に上記移動情報通信端末に対する課金情報を更新する課金手段を備えているので、コンテンツサーバの運営者が利益を得ることができる。
【図面の簡単な説明】
【図１】本発明の一実施例のブロック図である。
【図２】移動情報通信端末１００の構成例を示すブロック図である。
【図３】制御部１０８の構成例を示すブロック図である。
【図４】コンテンツサーバ２００の構成例を示すブロック図である。
【図５】制御部２０７の構成例を示すブロック図である。
【図６】利用者がコンテンツを購入する際の処理例を示す流れ図である。
【図７】コンテンツ販売画面７１の一例を示す図である。
【図８】利用者がコンテンツの配信プランを登録する際の処理例を示す流れ図である。
【図９】配信プラン登録画面９１の一例を示す図である。
【図１０】コンテンツ配信時の処理例を示す流れ図である。
【図１１】コンテンツ配信処理の詳細を示す流れ図である。
【図１２】配信プラン１２１の一例を示す図である。
【図１３】各種情報記憶部２０５の更新時の処理例を示す流れ図である。
【符号の説明】
１００…移動情報通信端末
１０１…アンテナ
１０２…無線部
１０３…位置検出部
１０４…表示部
１０５…音声出力部
１０６…操作部
１０７…記憶部
１０８…制御部
１０８１…表示処理手段
１０８２…音声処理手段
１０８３…現在位置送信手段
１０８４…配信プラン送信手段
１０９…記録媒体
２００…コンテンツサーバ
２０１…通信部
２０２…コンテンツ情報記憶部
２０３…配信プラン記憶部
２０４…利用者情報記憶部
２０５…各種情報記憶部
２０６…利用者位置情報記憶部
２０７…制御部
２０７１…コンテンツ販売手段
２０７２…配信プラン登録手段
２０７３…コンテンツ配信手段
２０７４…各種情報更新手段
２０８…記録媒体
２５０−１〜２５０−ｉ…情報サーバ
３００…通信ネットワーク
【図１】
2004072363.tif 000003
【図２】
2004072363.tif 000004
【図３】
2004072363.tif 000005
【図４】
2004072363.tif 000006
【図５】
2004072363.tif 000007
【図６】
2004072363.tif 000008
【図７】
2004072363.tif 000009
【図８】
2004072363.tif 000010
【図９】
2004072363.tif 000011
【図１０】
2004072363.tif 000012
【図１１】
2004072363.tif 000013
【図１２】
2004072363.tif 000014
【図１３】
2004072363.tif 000015